(57)【特許請求の範囲】
【請求項１】
第１筐体と、
第２筐体と、
前記第１筐体と前記第２筐体とを相互に移動可能に連結する連結部と、
前記第１筐体と前記第２筐体の互いの相対位置を検出する検出部と、
複数の選択肢を記憶する記憶部と、
前記複数の選択肢の中からいずれかを選択する制御部と、
前記第２筐体に設けられた操作部と、を備え、
前記検出部は、前記操作部により所定の操作が行われたときの前記第１筐体と前記第２筐体との相対位置を基準位置として検出し、
前記制御部は、前記第１筐体と前記第２筐体との相対位置が前記基準位置から変動された場合に、前記基準位置からの相対位置の変動に対応して前記記憶部に記憶された複数の選択肢の中からいずれかを選択する、ことを特徴とする携帯端末装置。
【請求項２】
前記記憶部は、前記第１筐体と前記第２筐体との前記基準位置からの相対位置に対応づけて複数の選択肢を記憶する、ことを特徴とする請求項１に記載の携帯端末装置。
【請求項３】
前記第１筐体は表示部を有し、
前記制御部は、前記記憶部に記憶した複数の選択肢の中からいずれかの選択肢が選択されると、当該いずれかの選択肢を前記表示部に表示する、ことを特徴とする請求項１または請求項２に記載の携帯端末装置。
【請求項４】
第１筐体と第２筐体とが連結部を介して相互に移行可能に連結された携帯端末装置の操作方法であって、
複数の選択肢を記憶部に記憶するステップと、
前記第１筐体と前記第２筐体との相対位置を基準位置として記憶するステップと、
前記第１筐体と前記第２筐体との相対位置が前記基準位置から変動した場合に、前記基準位置からの相対位置の変動に応じて、前記記憶部に記憶された複数の選択肢の中からいずれかを選択するステップと、を有する、ことを特徴とする携帯端末装置の操作方法。
【発明の詳細な説明】
【技術分野】
【０００１】
本発明は、携帯電話機やＰＤＡ（Ｐｅｒｓｏｎａｌ Ｄｉｇｉｔａｌ Ａｓｓｉｓｔａｎｔｓ）等の携帯端末装置に関し、詳しくは、表示部を露出させたままの状態で複数の筐体が互いに重ね合わせ可能に連結されている携帯端末装置に関するものである。
【背景技術】
【０００２】
従来において、図１１に示すように、表示部２を有する第１筐体４と、操作部６を有する第２筐体８と、この第２筐体８における操作部６が配置される操作面９に垂直な軸線を有して、この軸線の周りに第１筐体４と第２筐体８を相互に平行方向に回動可能に連結する連結部１０とを備える重ね型携帯端末装置１２があった（例えば、特許文献１参照）。
【０００３】
この重ね型携帯端末装置１２は、図１１に示す状態のように、操作部６を操作することができるように第１筐体４と第２筐体８を開き切った開状態にした場合であっても、また、図示しないが、開状態から第１筐体４を第２筐体８に対しておよそ１８０°回動することにより、操作部６を覆うように第１筐体４を第２筐体８上に重ねた閉状態にした場合であっても、表示部２の表示面１４を外側に露出させておくことができるようになっていた。
【０００４】
そして、この重ね型携帯端末装置１２は、第１筐体４と第２筐体８の回動動作（開閉動作）を主電源の接続動作及び切断動作に利用することができるように、連結部１０の近傍に不図示の電源スイッチが設けられていた。
【先行技術文献】
【特許文献】
【０００５】
【特許文献１】特開平７−２８８８６０号公報
【発明の概要】
【発明が解決しようとする課題】
【０００６】
しかしながら、前記特許文献１に記載されているような重ね型携帯端末装置１２は、第１筐体４と第２筐体８の開閉動作を主電源の接続動作及び切断動作に利用するようになっていたが、通信の発呼の操作手段や自機が備える様々な機能に対する操作手段として、このような開閉動作を十分に利用していないという問題があった。
【０００７】
そこで本発明は、上記問題点に鑑みて、通信の発呼の操作手段や自機が備える様々な機能に対する操作手段として、２つの筐体の開閉動作を利用することができる携帯端末装置を提供することを課題とするものである。
【課題を解決するための手段】
【０００８】
上記課題を解決するために、本発明による携帯端末装置は、
第１筐体と、
第２筐体と、
前記第１筐体と前記第２筐体とを相互に移動可能に連結する連結部と、
前記第１筐体と前記第２筐体の互いの相対位置を検出する検出部と、
複数の選択肢を記憶する記憶部と、
前記複数の選択肢の中からいずれかを選択する制御部と、
前記第２筐体に設けられた操作部と、を備え、
前記検出部は、前記操作部により所定の操作が行われたときの前記第１筐体と前記第２筐体との相対位置を基準位置として検出し、
前記制御部は、前記第１筐体と前記第２筐体との相対位置が前記基準位置から変動された場合に、前記基準位置からの相対位置の変動に対応して前記記憶部に記憶された複数の選択肢の中からいずれかを選択する、ことを特徴とするものである。
【０００９】
また、本発明による携帯端末装置は、前記記憶部が、前記第１筐体と前記第２筐体との前記基準位置からの相対位置に対応づけて複数の選択肢を記憶する、ことを特徴とする。
【００１０】
また、本発明による携帯端末装置は、
前記第１筐体は表示部を有し、
前記制御部は、前記記憶部に記憶した複数の選択肢の中からいずれかの選択肢が選択されると、当該いずれかの選択肢を前記表示部に表示する、ことを特徴とする。
【００１１】
また、上記課題を解決するために、本発明による携帯端末装置の操作方法は、
第１筐体と第２筐体とが連結部を介して相互に移行可能に連結された携帯端末装置の操作方法であって、
複数の選択肢を記憶部に記憶するステップと、
前記第１筐体と前記第２筐体との相対位置を基準位置として記憶するステップと、
前記第１筐体と前記第２筐体との相対位置が前記基準位置から変動した場合に、前記基準位置からの相対位置の変動に応じて、前記記憶部に記憶された複数の選択肢の中からいずれかを選択するステップと、を有する、ことを特徴とする。
【発明の効果】
【００１２】
このような本発明の携帯端末装置によれば、通信の発呼の操作手段や自機が備える様々な機能に対する操作手段として、２つの筐体の開閉動作を利用することができるので、操作性を向上させることができる。
【図面の簡単な説明】
【００１３】
【図１】本発明の第１及び第２の実施の形態に係る重ね型携帯電話機３０，６０を示す斜視図である。
【図２】図１に示す重ね型携帯電話機３０，６０の回路構成を示すブロック図である。
【図３】図１に示す重ね型携帯電話機３０，６０のＡ−Ａ線矢視図である。
【図４】本発明の第１の実施の形態において、図２中の記憶部４８に記憶されるアドレス情報テーブルである。
【図５】本発明の第１の実施の形態における制御部５０の動作手順を示すフローチャートである。
【図６】本発明の第１の実施の形態における制御部５０の動作手順を示すフローチャートである。
【図７】本発明の第１の実施の形態において、アドレス情報テーブルを変更させるときの制御部５０の動作手順を示すフローチャートである。
【図８】本発明の第２の実施の形態において、図２中の記憶部４８に記憶される機能テーブルである。
【図９】本発明の第２の実施の形態における制御部５０の動作手順を示すフローチャートである。
【図１０】本発明の第２の実施の形態における制御部５０の動作手順を示すフローチャートである。
【図１１】従来の重ね型携帯電話機１２を示す斜視図である。
【発明を実施するための形態】
【００１４】
以下、本発明に係る携帯端末装置の実施の形態について、図面に基づいて具体的に説明する。
【００１５】
図１ないし図７は、本発明の第１の実施の形態に係る重ね型携帯電話機３０（携帯端末装置に相当）について説明するために参照する図である。これらの図に示す重ね型携帯電話機３０は、従来の重ね型携帯端末装置１２と同様の部分には同じ符号を付して説明し、従来と同様の構成についての重複する説明は省略するものとする。
【００１６】
図１に示すように、この重ね型携帯電話機３０における第２筐体８の操作面９には、従来の重ね型携帯端末装置１２の操作部６に相当する主操作部３１が備えられている。重ね型携帯電話機３０は、操作部３１を覆うように第１筐体４を第２筐体８上に重ねた閉状態から、第１筐体４を一定の角度まで回動させることにより、この一定の角度を超えて回動させることができない開き切った開状態にすることができる。
【００１７】
本実施の形態に係る重ね型携帯電話機３０は、従来の重ね型携帯端末装置１２と同様に、閉状態から開状態までの間の一定の角度が１８０°であるものとして以後説明する。
【００１８】
重ね型携帯電話機３０の第２筐体８には、その長さ方向に平行であって操作面９と互いに隣り合う側面３２に、副操作部としての選択キー３４が設けられている。この選択キー３４は、開状態又は閉状態のいずれの状態であっても操作することができる。
【００１９】
また、選択キー３４は、指先等により押し込まれたとき（操作された状態のとき）に「ＯＮ」の信号を送信し、指先等が離れたときには押し込まれる前の状態に復帰すると共に、信号の送信を行なわない「ＯＦＦ」の状態になるような自動復帰接点方式のキーが用いられている。
【００２０】
ユーザーは、例えば、左手の親指以外の４本の指と手の平によって第２筐体８をその背後側から保持すると共に、親指の指先の腹の部分を選択キー３４に軽く当接させることができる。そして、第２筐体８を保持した状態を維持しながら親指を動かすことにより、選択キー３４を押し込む操作を行なうことができる。
【００２１】
図２は、重ね型携帯電話機３０の回路構成を示すブロック図である。重ね型携帯電話機３０は、既に説明したように、表示部２、主操作部３１及び選択キー３４を備えており、これら以外にアンテナを有する無線部３６、データ処理部３８、音声処理部４０、スピーカー４２、マイクロホン４４、角度検出部４６、記憶部４８、及びこれらを制御する制御部５０を備えている。
【００２２】
無線部３６、データ処理部３８、音声処理部４０、スピーカー４２、及びマイクロホン４４は、一般的な携帯電話機の通話機能等と同様に動作するものであるため、その説明は省略する。
【００２３】
角度検出部４６は、図１において図示されていないが、連結部１０の近傍に設けられており、第１筐体４を第２筐体８に対して回動させることにより、その相対角度が予め設定されている複数の所定の角度のいずれかになった場合には、角度検出部４６は、これを検出すると共にこの信号を制御部５０に送信するようになっている。
【００２４】
このような角度検出部４６としては、例えば、磁気センサー、光学センサー又は機械的スイッチ等を用いることができる。また、電気的な導通接点を設けて、所定の角度ごとに相対角度を検出するようになっていてもよい。
【００２５】
また、図３に示すように、この重ね型携帯電話機３０は、クリック（ｃｌｉｃｋ）機構５２を備えている。このクリック機構５２は、連結部１０の近傍に設けられており、ボール部材５４を第２筐体８の操作面９に押し当てるように、第１筐体４の内部に備えられたバネ部材５６がボール部材５４を操作面９側に付勢するようになっている。
【００２６】
一方、第２筐体８の操作面９上には、角度検出部４６が検出動作を行なう所定の角度に対応して、ボール部材５４の一部が押し込まれるような球面状の窪み５８が、連結部１０の軸線を中心とする同一円周上に間隔をおいて複数形成されていて、第１筐体４と第２筐体８を互いに回動させた場合に、所定の角度ごとにクリック感が得られるようになっている。
【００２７】
操作部６を覆うように第１筐体４を第２筐体８上に重ねた閉状態を基準にして、この閉状態における第１筐体４と第２筐体８の互いの相対角度を０°とし、開状態を１８０°とすると、重ね型携帯電話機３０の角度検出部４６は、所定の角度として０°、１５°、４５°、７５°、１０５°、１３５°、１６５°及び１８０°を検出するようになっている。そして、このような所定の角度における相対角度の検出に対応して、ユーザーは、クリック機構５２からクリック感を得られるようになっている。
【００２８】
次に、図２に示す記憶部４８には複数のアドレス情報が、第１筐体４と第２筐体８の互いの相対角度に対応づけて、テーブル形式で記憶されている。すなわち、記憶部４８には、図４に示すようなアドレス情報テーブルが記憶されている。
【００２９】
図４に示すアドレス情報テーブルには、閉状態の近傍である０°から１５°までの角度の範囲と、開状態の近傍である１６５°から１８０°までの角度の範囲を除いて、角度検出部４６が検出する相対角度を区切りとする５つの角度の範囲ごとに、名前や名称、及び電話番号や電子メールアドレスのアドレス情報が記憶されている。
【００３０】
次に、図２に示す制御部５０は、第１筐体４を第２筐体８に対して回動させる操作と選択キー３４の操作の組合せにより、図５及び図６のフローチャートに示すように、アドレス情報を選択して発呼の制御動作を行なうようになっている。また、制御部５０は、図７のフローチャートに示すように、ユーザーの操作により記憶部４８のアドレス情報を変更するようになっている。
【００３１】
制御部５０は、閉状態において受信の待受け状態であるときに、図５に示すように、選択キー３４が指で押し込まれた旨の信号を受信した後（ステップＳ１０１のＹＥＳ）、この選択キーから指が離されてこの信号を受信しなくなった場合には（ステップＳ１０２のＹＥＳ）、表示部２のバックライトを点灯させて（ステップＳ１０３）、待受け状態を継続するようになっている。
【００３２】
選択キー３４が押し込まれずに（ステップＳ１０１のＮＯ）、第１筐体４を第２筐体８に対して回動させる操作などが行なわれたような場合には、制御部５０は、このフローチャートに示すような制御動作を行なわない。
【００３３】
また、選択キー３４が押し込まれた旨の信号を受信して（ステップＳ１０１のＹＥＳ）、この選択キー３４が押し込まれている旨の信号を受信し続けている状態のときに（ステップＳ１０２のＮＯ）、第１筐体４を第２筐体８に対して回動させる操作が行なわれて、角度検出部４６が閉状態を検出しなくなった場合には（ステップＳ１０４のＮＯ）、制御部５０はステップＳ１０５以降の制御動作を行なうようになっている。
【００３４】
角度検出部４６が閉状態を検出し続けている場合には（ステップＳ１０４のＹＥＳ）、選択キー３４から指が離されるか（ステップＳ１０２のＹＥＳ）、又は第１筐体４を第２筐体８に対して回動させる操作が行なわれるまで（ステップＳ１０４のＮＯ）、制御部５０は待機の状態になる。
【００３５】
ステップＳ１０５から図６中のステップＳ１１０までの制御部５０による制御動作は、このステップＳ１１０において選択キー３４から指が離されたと判断されるまで（ステップＳ１１０のＹＥＳ）、図５中のステップＳ１０２のＮＯが判断されてから選択キー３４が押し込まれている旨の信号を受信し続けているときに行なわれるものである。
【００３６】
ステップＳ１０５において、制御部５０は、記憶部４８から図４に示すアドレス情報のテーブルを読み出すようになっている。そして、次のステップＳ１０６から図６中のステップＳ１１０までの制御動作は、このステップＳ１１０において選択キー３４が押し込まれ続けていると判断されている間は（ステップＳ１１０のＮＯ）、繰り返して行なわれるようになっている。
【００３７】
制御部５０は、ステップＳ１０６において、角度検出部４６からの出力信号に基づいて、第１筐体４と第２筐体８との互いの相対角度が、図４に示すアドレス情報のテーブル中でいずれの所定の角度の範囲内にあるのかを判断するようになっており、ステップＳ１０７において、対応するアドレス情報を順次選択するようになっている。
【００３８】
そして、制御部５０は、全てのアドレス情報の名前又は名称を表示部２に表示させ、選択されているアドレス情報については、他の選択されていないアドレス情報とは異なる表示形式で表示させるようになっている（ステップＳ１０８）。例えば、選択されているアドレス情報だけが、矩形の枠で囲まれて表示されたり、反転表示されたりするようにする。また、選択されているアドレス情報の先頭や末尾の文字等の位置だけに、カーソルが表示されるようになっていてもよい。
【００３９】
ステップＳ１０８で表示部２にアドレス情報を表示した後に、第１筐体４を第２筐体８に対して回動させる操作が行なわれることにより、第１筐体４と第２筐体８との相対角度が変化した場合には（図６中、ステップＳ１０９のＹＥＳ）、図５中のステップＳ１０６に戻るようになっている。
【００４０】
また、第１筐体４と第２筐体８との相対角度が特定の角度で維持された状態で（図６中、ステップＳ１０９のＮＯ）、選択キー３４から指が離された場合には（ステップＳ１１０のＹＥＳ）、この相対角度に対応するアドレス情報がユーザーにより最終的に選択されたものと判断するようになっている。
【００４１】
選択キー３４から指が離された後に（ステップＳ１１０のＹＥＳ）、第１筐体４と第２筐体８を互いに回動させて開状態にする操作が行なわれることにより、角度検出部４６からその旨の信号が送信された場合には（ステップＳ１１１のＮＯ、及びステップＳ１１２のＹＥＳ）、制御部５０は、最終的に選択されたアドレス情報の端末装置に対して、無線部３６に発呼を行なわせるようになっている（ステップＳ１１３）。
【００４２】
ここで、無線部３６が行なう発呼の動作は、選択されたアドレス情報が電話番号である場合には、通常の通話の発呼の動作のことであり、アドレス情報が電子メールアドレスである場合には、電子メールの送信の動作のことである。電子メールの送信は、予め登録してある定型文章が送信されるようになっている。
【００４３】
そして、この発呼により開始された通信が終了すると（ステップＳ１１４）、制御部５０は、このフローチャートに示す一連の制御動作を終了して、受信の待受け状態になる。
【００４４】
また、ステップＳ１１０において、選択キー３４から指が離された後に（ステップＳ１１０のＹＥＳ）、第１筐体４と第２筐体８を互いに回動させて閉状態にする操作が行なわれることにより、角度検出部４６からその旨の信号が送信された場合には（ステップＳ１１１のＹＥＳ）、制御部５０は、発呼の動作は行なわずに、このフローチャートに示す一連の制御動作を終了して、受信の待受け状態（図５のフローチャートの初期状態）に戻るようになっている。
【００４５】
また、選択キー３４から指が離された後に（ステップＳ１１０のＹＥＳ）、閉状態又は開状態のいずれかの状態にする操作が行なわれない場合には（ステップＳ１１１のＮＯ及びステップＳ１１２のＮＯ）、角度検出部４６からの信号が送信されないため、閉状態又は開状態のいずれかの状態にする操作が行なわれるまで、この状態が維持されるようになっている。
【００４６】
次に、図７のフローチャートに基づいて、制御部５０が、記憶部４８のアドレス情報を変更する場合の制御動作について説明する。主操作部３１からの操作により、表示部２に表示される不図示のメニュー画面等からアドレス情報カスタマイズ機能が選択されると、制御部５０は、このアドレス情報カスタマイズ機能を起動させる（ステップＳ２０１）。
【００４７】
そして、制御部５０は、図示しないが、図４に示す現在のアドレス情報テーブルの名前又は名称の一覧を表示部２に表示させる（ステップＳ２０２）。この一覧の中から、変更するアドレス情報が、ユーザーの操作により選択されると（ステップＳ２０３のＹＥＳ）、このアドレス情報の変更をどのような方法により行なうのかについて、表示部２にその方法の項目を表示させるようになっている（ステップＳ２０４）。
【００４８】
すなわち、重ね型携帯電話機３０は、この記憶部４８にアドレス情報テーブルの領域とは別にアドレス帳領域（アドレス帳）が設けられ、このアドレス帳領域に電話番号や電子メールアドレス等のアドレス情報を登録させることができるアドレス帳機能を利用することができるようになっている。したがって、ユーザーが今までアドレス帳に登録したアドレス情報の中から選択する方法によって、アドレス情報テーブルのアドレス情報を変更することができるようになっている（ステップＳ２０５の「１」）。
【００４９】
また、このような方法とは別の方法として、主操作部３１のテンキー等からアドレス情報を直接入力する方法（ステップＳ２０５の「２」）、或いは、特殊なアドレス情報を選択する方法（ステップＳ２０５の「３」）の中から、いずれかの方法に決定させるようになっている。
【００５０】
ユーザーが、アドレス帳の中からアドレス情報を選択する方法に決定した場合には（ステップＳ２０５の「１」）、アドレス帳の内容を表示部２に表示して（ステップＳ２０６）、この中からいずれかのアドレス情報がユーザーにより選択されると（ステップＳ２０７のＹＥＳ）、ステップＳ２０３において選択されたアドレス情報テーブル中の変更前のアドレス情報を、アドレス帳から選択されたアドレス情報に変更するようになっている（ステップＳ２１１）。
【００５１】
また、ステップＳ２０５において、ユーザーが、主操作部３１のテンキー等からアドレス情報を直接入力する方法に決定した後（ステップＳ２０５の「２」）、ユーザーがアドレス情報を入力すると（ステップＳ２０８のＹＥＳ）、このアドレス情報に変更するようになっている（ステップＳ２１１）。
【００５２】
また、ステップＳ２０５において、ユーザーが、特殊なアドレス情報を選択する方法に決定した場合には（ステップＳ２０５の「３」）、ユーザーは特殊なアドレス情報を選択して（ステップＳ２１０のＹＥＳ）、このアドレス情報に変更することができるようになっている（ステップＳ２１１）。
【００５３】
特殊なアドレス情報としては、最新発信履歴番号や最新着信履歴番号、または、警察（１１０番）や救急・消防（１１９番）のような公共機関等の連絡先を選択することができる。ここで、最新発信履歴番号または最新着信履歴番号とは、具体的な電話番号や電子メールアドレスではなく、制御部５０が発呼を行なう時点において、それまでに発信または着信した電話番号や電子メールアドレスの中で最新のものをいう。
【００５４】
このような重ね型携帯電話機３０によれば、通信の発呼の操作手段として、第１筐体４と第２筐体８の開閉動作を利用することができるので、操作性を向上させることができる。
【００５５】
また、第１筐体４、第２筐体８及び選択キー３４の操作により発呼するアドレス情報は、所定の角度の範囲ごとに変更することができる。また、第１筐体４を第２筐体８に対して回動させる操作と、選択キー３４の操作を組合せていることにより、誤操作を防止することができる。
【００５６】
次に、図１ないし図３、図８ないし図１０に基づいて、本発明の第２の実施の形態に係る重ね型携帯電話機６０（携帯端末装置に相当）について説明する。本実施の形態に係る重ね型携帯電話機６０は、図１ないし図３に示すように、第１の実施の形態に係る重ね型携帯電話機３０と同様に構成されているため、第１の実施の形態と同様の構成や動作についての重複する説明は省略する。
【００５７】
本実施の形態に係る重ね型携帯電話機６０において、図２に示す記憶部４８には、第１の実施の形態とは異なり、自機が備える複数の機能の名称が第１筐体４と第２筐体８の互いの相対角度に対応づけて、テーブル形式で記憶されている。すなわち、記憶部４８には、図８に示すように、アドレス帳機能、メモ帳機能、電子メール機能、撮像機能、及び音楽再生機能を内容とする機能テーブルが記憶されている。
【００５８】
そして、制御部５０は、第１筐体４を第２筐体８に対して回動させる操作と選択キー３４の操作の組合せにより、図９及び図１０に示すフローチャートのような制御動作を行なうようになっている。
【００５９】
制御部５０は、図９及び図１０に示すフローチャートに基づいて、第１の実施の形態における図５及び図６のフローチャートと同様な制御動作を行なうようになっており、第１の実施の形態では、第１筐体４を第２筐体８に対して回動させる操作と選択キー３４の操作の組合せにより、制御部５０が無線部３６に発呼させるようになっていたが、本実施の形態では、発呼させる制御動作に代えて、この重ね型携帯電話機３０が備える様々な機能を起動するようになっている。
【００６０】
すなわち、図９に示すように、第１の実施の形態のステップＳ１０５に相当するステップＳ３０５において、記憶部４８の機能テーブルから機能の名称を読み出すようになっており、第１の実施の形態のステップＳ１０７及びステップＳ１０８に相当するステップＳ３０７及びステップＳ３０８において、検出した相対角度に対応する機能の名称を選択し、複数の機能の名称を表示部２に表示すると共に、選択されている機能の名称については、他の選択されていない機能の名称とは異なる表示形式で表示させるようになっている。
【００６１】
また、図１０に示すように、第１の実施の形態のステップＳ１１３に相当するステップＳ３１３では、最終的に選択された機能を起動するようになっている。
【００６２】
このような重ね型携帯電話機６０によれば、自機が備える様々な機能に対する操作手段として、第１筐体４と第２筐体８の開閉動作を利用することができるので、操作性を向上させることができる。
【００６３】
また、第１筐体４、第２筐体８及び選択キー３４の操作により起動させる様々な機能は、第１の実施の形態と同様に、所定の角度の範囲ごとに変更することができる。また、第１筐体４を第２筐体８に対して回動させる操作と、選択キー３４の操作を組合せていることにより、誤操作を防止することができる。
【００６４】
なお、前記第１及び第２の実施の形態においては、副操作部としての第２筐体８の選択キー３４は、押し込むように操作するようになっているが、レバー等のように回動させて操作するものであってもよい。操作性からは、選択キー３４のようなサイドキーが好ましい。
【００６５】
また、前記第１及び第２の実施の形態では、左手で操作することができるように、選択キー３４が第２筐体８の側面３２に設けられるようになっていたが、右手で操作することができるように、側面３２とは反対側の側面に設けるようにしてもよい。また、選択キー３４は、自動復帰接点方式ではなく、他の方式のものを用いるようにしてもよい。
【００６６】
また、前記第１及び第２の実施の形態では、角度検出部４６は、所定の角度として０°、１５°、４５°、７５°、１０５°、１３５°、１６５°及び１８０°を検出するようになっているが、所定の角度としてこれら以外の角度を検出するようになっていてもよい。
【００６７】
また、検出することができる所定の角度の数を増やしてもよい。このような場合には、第１筐体４と第２筐体８の互いの相対角度に対応させる、図４に示すアドレス情報テーブルのアドレス情報、又は図８に示す機能テーブルの機能の名称の個数を増やすことができることはいうまでもない。
【００６８】
また、前記第１及び第２の実施の形態においては、閉状態から開状態までの間の一定の角度が１８０°になっていたが、このような閉状態から開状態までの間の一定の角度は１８０°に限定されるものではない。
【００６９】
また、前記第１の実施の形態では、制御部５０は、図５及び図６に示すフローチャートのステップＳ１０８において、記憶部４８に記憶されているアドレス帳テーブルの全てのアドレス情報を表示部２に表示させ、選択されているアドレス情報を、他の選択されていないアドレス情報とは異なる表示形式で表示させるようになっているが、選択されているアドレス情報だけを表示部２に表示させて、他の選択されていないアドレス情報を表示しないようにするようにしてもよい。
【００７０】
また、同様に前記第２の実施の形態においても、図９及び図１０に示すフローチャートのステップＳ３０８において、選択されている機能の名称だけを表示部２に表示させて、他の選択されていない機能の名称を表示しないようにするようにしてもよい。
【００７１】
また、前記第１の実施の形態では、制御部５０は、図５及び図６に示すフローチャートのステップＳ１０１において、閉状態のときに選択キー３４が押し込まれた場合に、ステップＳ１０２以降の動作が行なわれ得るようになっているが、閉状態以外の状態であっても、選択キー３４が押し込まれた場合にはステップＳ１０２以降の動作が行なわれ得るようにすると共に、ステップＳ１０４が省略されるようになっていてもよい。
【００７２】
さらに、このような場合には、選択キー３４が押し込まれたときの角度を基準角度として、第１筐体４と第２筐体８の互いを回動させたときの相対角度に、アドレス情報テーブルを対応させるようにしてもよい。
【００７３】
つまり、第１筐体４が第２筐体８に対して回動された場合、角度検出部４６により検出される第１筐体４と第２筐体８の基準角度からの相対角度に対応して、記憶部４８に記憶された複数のアドレス情報の中からいずれか一つのアドレス情報が選択される。
【００７４】
また、同様に前記第２の実施の形態においても、図９及び図１０に示すフローチャートにおいて、閉状態以外の状態であっても、選択キー３４が押し込まれた場合にはステップＳ３０２以降の動作が行なわれ得るようにすると共に、ステップＳ３０４が省略されるようになっていてもよい。
【００７５】
さらに、このような場合には、選択キー３４が押し込まれたときの角度を基準角度として、第１筐体４と第２筐体８の互いを回動させたときの相対角度に、機能テーブルを対応させるようにしてもよいことはいうまでもない。
【００７６】
つまり、第１筐体４が第２筐体８に対して回動された場合、角度検出部４６により検出される第１筐体４と第２筐体８の基準角度からの相対角度に対応して、記憶部４８に記憶された複数の機能の中からいずれか一つの機能が選択される。
【００７７】
また、前記第２の実施の形態においては、記憶部４８の機能テーブルとして、アドレス帳機能、メモ帳機能、電子メール機能、撮像機能、及び音楽再生機能の名称を記憶させるようにしたが、記憶させることができる機能の名称はこれらに限定されるものではない。
【００７８】
また、前記第１及び第２の実施の形態においては、本発明を重ね型携帯電話機３０，６０に適用した場合について説明したが、ＰＤＡ（Ｐｅｒｓｏｎａｌ Ｄｉｇｉｔａｌ Ａｓｓｉｓｔａｎｔ）のような他の重ね型携帯端末装置にも、同様の技術的思想に基づいて本発明を適用することができることはいうまでもない。
【符号の説明】
【００７９】
２ 表示部
４ 第１筐体
６ 操作部
８ 第２筐体
９ 操作面
１０ 連結部
１２ 重ね型携帯端末装置
１４ 表示面
３０ 重ね型携帯電話機
３１ 主操作部
３２ 側面
３４ 選択キー
３６ 無線部
３８ データ処理部
４０ 音声処理部
４２ スピーカー
４４ マイクロホン
４６ 角度検出部
４８ 記憶部
５０ 制御部
５２ クリック機構
５４ ボール部材
５６ バネ部材
５８ 窪み
６０ 重ね型携帯電話機
【図１】
0004824107.tif 000002
【図２】
0004824107.tif 000003
【図３】
0004824107.tif 000004
【図４】
0004824107.tif 000005
【図５】
0004824107.tif 000006
【図６】
0004824107.tif 000007
【図７】
0004824107.tif 000008
【図８】
0004824107.tif 000009
【図９】
0004824107.tif 000010
【図１０】
0004824107.tif 000011
【図１１】
0004824107.tif 000012